(57)【要約】【課題】入浴者が湯に浸かっている場合においても、安全に、少量の湯で素早く浴槽内の湯温を上げることができる入浴装置を提供する。【解決手段】入浴装置１は、浴槽１１と、側面に複数の孔２０ａが設けられ、浴槽１１内に配置されるパイプ２０と、パイプ２０に湯を供給する給湯管２２と、パイプ２０に気体を供給する給気管２４と、を備える。入浴装置１は、給湯管２２を利用してパイプ２０に湯を供給する第１の状態と、給気管２４を利用してパイプ２０に気体を供給する第２の状態とを切り換え可能に設けられている。【選択図】図４
2016007421.tif 000002
【特許請求の範囲】
【請求項１】
浴槽と、
側面に複数の孔が設けられ、前記浴槽内に配置されるパイプと、
前記パイプに湯を供給する給湯管と、
前記パイプに気体を供給する給気管と、
を備え、
前記給湯管を利用して前記パイプに湯を供給する第１の状態と、前記給気管を利用して前記パイプに気体を供給する第２の状態とを切り換え可能に設けられることを特徴とする入浴装置。
【請求項２】
前記第１の状態と前記第２の状態との切り換えを制御する制御部を更に備えることを特徴とする請求項１に記載の入浴装置。
【請求項３】
前記パイプの一端部には第１の接続部を介して前記給湯管が接続され、前記パイプの他端部には第２の接続部を介して前記給気管が接続されることを特徴とする請求項１又は２に記載の入浴装置。
【請求項４】
前記第１の接続部及び前記第２の接続部には、逆止弁が備えられることを特徴とする請求項３に記載の入浴装置。
【請求項５】
前記パイプは、前記浴槽の底部に配置されることを特徴とする請求項１から４のいずれかに記載の入浴装置。
【請求項６】
前記浴槽内には、入浴者と前記パイプとの間に介在物が配置されることを特徴とする請求項１から５のいずれかに記載の入浴装置。
【請求項７】
入浴者を載せた担架を載せる担架台を更に備え、
前記介在物には、前記担架台が含まれることを特徴とする請求項６に記載の入浴装置。
【発明の詳細な説明】
【技術分野】
【０００１】
本発明は入浴装置に関する。
【背景技術】
【０００２】
従来、浴槽への給湯の際における入浴者の火傷を防止する仕組みを備えた入浴装置が知られている。給湯による入浴者の火傷を防止する技術として、例えば、給湯口から給湯できる湯の上限温度を決めておき、当該上限温度を超える湯を給湯しないように給湯部を制御する技術が知られている。当該技術では、浴槽内の湯温が低い場合に、給湯により湯温を上げようとしても、徐々にしか湯温を上げることができない。このために、当該技術では、湯温を適温にするまでに、長い時間と多くの湯が必要になり、入浴者に満足のいく入浴を提供できないばかりか、経済的にも非効率である。
【０００３】
上記欠点を解決する技術として、例えば特許文献１に開示される技術が知られている。特許文献１においては、入浴者を載置する入浴担架が浴槽内に存在するか、浴槽外に存在するかを判断して、入浴担架が浴槽外にある場合に限って、入浴に適した温度より高温の湯を供給できるように構成している。当該技術によれば、入浴担架が浴槽外にある場合に高温の湯を浴槽内に供給して、少量の湯で浴槽内の湯温を素早く適温にすることが可能である。
【０００４】
また、上記欠点を解決する技術として、例えば特許文献２に開示される技術も知られている。特許文献２においては、浴槽の水を取り出して加熱手段からの湯と混合して浴槽に注湯する構成が開示されている。当該技術によれば、加熱手段からの高温の湯を安全な温度に低下させてから浴槽に注湯できると共に、浴槽内の湯温を適温にするために浴槽に注湯する湯量を少なく抑えることができる。
【先行技術文献】
【特許文献】
【０００５】
【特許文献１】特開２００６−２３０４５７号公報
【特許文献２】特開２００７−３０９６１５号公報
【発明の概要】
【発明が解決しようとする課題】
【０００６】
しかしながら、特許文献１の構成では、入浴者が浴槽内の湯に浸かっている場合には、湯温の低下に適切に対応できない。このために、長い時間入浴したい入浴者は、入浴中に寒さを感じることがある。また、特許文献２の構成では、加熱手段からの湯を安全な温度で浴槽に注湯する設備の構造が複雑になることが懸念される。
【０００７】
以上の点に鑑みて、本発明の目的は、入浴者が湯に浸かっている場合においても、安全に、少量の湯で素早く浴槽内の湯温を上げることができる入浴装置を提供することである。また、本発明の他の目的は、前述のような機能を備える入浴装置を複雑化することなく提供することである。
【課題を解決するための手段】
【０００８】
上記目的を達成するために本発明の入浴装置は、浴槽と、側面に複数の孔が設けられ、前記浴槽内に配置されるパイプと、前記パイプに湯を供給する給湯管と、前記パイプに気体を供給する給気管と、を備え、前記給湯管を利用して前記パイプに湯を供給する第１の状態と、前記給気管を利用して前記パイプに気体を供給する第２の状態とを切り換え可能に設けられる構成（第１の構成）になっている。なお、前記パイプに設けられる孔のサイズは小径であるのが好ましい。また、前記パイプに設けられる孔は、高温水と低温水とをミキシングして得られる適温の湯を浴槽に大量に給湯可能に設けられる給湯口とは別に設けられ、当該給湯口よりもサイズが小さいのが好ましい。前記適温の湯は、入浴者が湯に浸かるのに適した温度（例えば３８℃以上４２℃以下）の湯のことである。
【０００９】
本構成によれば、浴槽内に高温の湯（前記適温の湯よりも高温の湯）を分散して少量ずつ入れることが可能である。また、分散して浴槽内に入れた熱い湯をパイプの複数の孔から噴射される気体を利用して拡散することができる。更に、パイプを利用した湯の注入と気泡の発生とを交互に繰り返すことによって、浴槽内の湯全体の温度を均一に上げられる。すなわち、本構成によれば、浴槽内に入浴者が居る状態においても、少量の熱い湯で素早く、安全に浴槽内の湯温を上げることが可能である。
【００１０】
上記第１の構成の入浴装置は、前記第１の状態と前記第２の状態との切り換えを制御する制御部を更に備える構成（第２の構成）であるのが好ましい。本構成によれば、パイプの、湯を吐出する機能と気泡を発生させる機能とを自動的に切り換えられるので便利である。
【００１１】
上記第１又は第２の構成の入浴装置において、前記パイプの一端部には第１の接続部を介して前記給湯管が接続され、前記パイプの他端部には第２の接続部を介して前記給気管が接続される（第３の構成）のが好ましい。本構成によれば、湯を吐出する機能と、気泡を発生させる機能とを発揮できるパイプの構成を簡単な構造にし易い。
【００１２】
上記第３の構成の入浴装置において、前記第１の接続部及び前記第２の接続部には、逆止弁が備えられる（第４の構成）のが好ましい。本構成によれば、給湯管及び給気管にパイプから水が逆流するのを防止でき、衛生面を向上できる。
【００１３】
上記第１から第４のいずれかの構成の入浴装置において、前記パイプは、前記浴槽の底部に配置される構成（第５の構成）であってよい。本構成によれば、パイプが邪魔になり難い。
【００１４】
上記第１から第５のいずれかの構成の入浴装置において、前記浴槽内には、入浴者と前記パイプとの間に介在物が配置される構成（第６の構成）であるのが好ましい。本構成によれば、パイプの複数の孔から吐出された熱い湯によって入浴者が火傷を負う可能性を低減できる。
【００１５】
上記第６の構成の入浴装置は、入浴者を載せた担架を載せる担架台を更に備え、前記介在物には、前記担架台が含まれる構成（第７の構成）であるのが好ましい。本構成によれば、高齢者や身体障害者等の体が不自由で介助が必要な者を快適に入浴させることが可能な入浴装置を提供できる。
【発明の効果】
【００１６】
本発明によれば、入浴者が湯に浸かっている場合においても、安全に、少量の湯で素早く浴槽内の湯温を上げることができる入浴装置を提供できる。また、本発明によれば、前述のような機能を備える入浴装置を複雑化することなく提供可能である。
【図面の簡単な説明】
【００１７】
【図１】本発明の実施形態に係る入浴装置の構成を示す概略上面図
【図２】本発明の実施形態に係る入浴装置の構成を示す概略側面図
【図３】本発明の実施形態に係る入浴装置を利用して入浴者が入浴している状態を示す概略図
【図４】本発明の実施形態に係る入浴装置が備えるパイプの構成を示す概略側面図
【図５】本発明の実施形態に係る入浴装置において、浴槽内の湯温を上げるために備えられる制御系の構成を示すブロック図
【図６】本発明の実施形態に係る入浴装置において、浴槽内に入浴者が居る状態で、浴槽内の湯温を上げる手順の一例を示すフローチャート
【発明を実施するための形態】
【００１８】
以下、本発明の実施形態に係る入浴装置について、図面を参照しながら詳細に説明する。なお、本発明の実施形態に係る入浴装置は、高齢者や身体障害者等の体が不自由で介助が必要な者（要介助者）を入浴させるのに好適な装置である。ただし、本発明は、要介助者を入浴させるのに好適な入浴装置以外に適用されても構わない。
＜入浴装置の概略構成＞
【００１９】
まず、本発明の実施形態に係る入浴装置の概略構成について、図１から図３を参照しながら説明する。図１は、本発明の実施形態に係る入浴装置１の構成を示す概略上面図である。図２は、本発明の実施形態に係る入浴装置１の構成を示す概略側面図である。図３は、本発明の実施形態に係る入浴装置１を利用して入浴者が入浴している状態を示す概略図である。なお、図３においては、浴槽１１内の状態が理解し易いように、入浴装置１の側面を構成する一部の部材が省略されている。
【００２０】
図１から図３に示すように、入浴装置１は、床Ｆ上に固定配置される架台１０と、この架台１０に対して昇降可能に設けられる浴槽１１とを備えている。なお、図１及び図２は、浴槽１１が下がった状態を示しており、図３は、浴槽１１が上がった状態を示している。図１及び図２に示す浴槽１１が下がった状態で、入浴者Ｍが載せられた担架Ｔがストレッチャー（不図示）から浴槽１１上に移送される。また、図３に示す浴槽１１が上がった状態で、入浴者Ｍは浴槽１１内の湯に浸かる（入浴する）ことができる。
【００２１】
架台１０の略中央部には、円柱状の支柱１２が立設されている（例えば図２参照；図２においては、支柱１２は本来見えないために破線で示されている）。この支柱１２は、浴槽１１の底壁１１ａを液密に貫通している。浴槽１１は、不図示の昇降装置によって、支柱１２に沿って昇降可能になっている。なお、浴槽１１を昇降させる昇降装置の構成は、特に限定されるものではないが、例えば電動機を利用して作動する油圧装置が利用されてよい。
【００２２】
支柱１２の上端には、上面視略矩形状の担架台１３が固定されている。担架台１３の長手方向（図１から図３において左右方向）の両端部には、それぞれ、浴槽１１の幅方向（図１において上下方向、図２及び図３において紙面と垂直な方向）に水平に延びるガイドレール１４が設けられている。一対のガイドレール１４は、互いに同一の高さ位置に、平行となるように配置されている。
【００２３】
なお、担架台１３上には、入浴者Ｍを載せた担架Ｔをストレッチャー（不図示）から浴槽１１に移送する際における介助者の労力を軽減可能とするオートスライド機構１５が設けられている。オートスライド機構１５の構成は公知であるために、ここでは説明を省略する。オートスライド機構１５は、場合によっては設けられなくても構わない。
【００２４】
その他、架台１０には、浴槽１１の側面に横付けされるストレッチャー（不図示）を所定の位置に位置決めするための位置決めガイド部１６が設けられている。また、浴槽１１の上縁には、例えば介助者が入浴装置１に対する指示を入力するための操作部１７が設けられている。操作部１７には、例えば表示パネルや操作ボタン等が含まれる。また、入浴装置１には、浴槽１１内に湯を供給するための給湯装置（不図示）が設けられている。給湯装置には、ボイラーによって温められた高温水と低温水（例えば水道水）とをミキシングして、適温水（例えば操作部１７によって設定された温度の湯）とした後に浴槽１１に供給する設備も含まれる。適温水（適温の湯）は、浴槽１１の内壁上部に設けられる給湯口１８から浴槽１１内に吐出される。給湯口１８は、浴槽１１内になるべく短時間で湯を溜められるように、そのサイズは比較的大きく設けられている。
＜入浴装置を用いた入浴フロー例＞
【００２５】
ここで、上述の入浴装置１を使用して、要介助者を入浴させる際のフロー例について、簡単に説明しておく。
【００２６】
まず、要介助者（入浴者）が、ベッド等からストレッチャー（不図示）に搭載される担架Ｔ（図３参照）上に移乗される。そして、要介助者が載せられたストレッチャーが、介助者（不図示）によって入浴装置１が設置される浴室に運ばれる。介助者は、入浴装置１の側面に設けられた位置決めガイド部１６を利用して、ストレッチャーを入浴装置１横の所定の位置に配置（位置決め）する。
【００２７】
次に、介助者は、一対のガイドレール１４及びオートスライド機構１５を利用して、担架Ｔをストレッチャーから担架台１３上に移送する。この後、介助者は、入浴装置１の操作部１７を操作して浴槽１１を支柱１２に沿って所定の位置まで上昇させる。浴槽１１の上昇により、担架Ｔを浴槽１１の中に位置させて、要介助者を浴槽１１内の湯に浸からせることができる（図３参照）。なお、本例では、浴槽１１を上昇させる前に、給湯口１８から吐出された湯（上述の適温水）が浴槽１１内に溜められている。浴槽１１内に湯を溜めるための操作には、例えば操作部１７が利用される。
【００２８】
入浴が済むと、介助者は操作部１７を操作して、浴槽１１を支柱１２に沿って所定の位置まで下降させる。そして、介助者は、一対のガイドレール１４及びオートスライド機構１５を利用して、担架Ｔを担架台１３からストレッチャー上に移送する。これにより、入浴が完了する。
＜浴槽内の湯温を安全且つ効率的に上げるための工夫＞
【００２９】
ところで、浴槽１１内の湯に浸かった入浴者が、その好みによって湯温を上げて欲しいと要求する場合がある。また、入浴時間が長くなると、湯温が低下するために、湯温を上げる必要が生じる場合がある。更に、例えば冬季などには、入浴当初は湯温をぬるめにしておき、入浴中に湯温を上げた方が、入浴者は快適に入浴できる。これらの場合には、いずれも、入浴者が浴槽１１内に入浴した状態で湯温を上げる必要がある。浴槽１１の上部に設けられる給湯口１８から熱い湯（例えば４２℃を超える湯）を出すと、入浴者Ｍが火傷する可能性がある。また、入浴者Ｍが火傷しない程度の湯（例えば３８℃以上４２℃以下の湯）を供給していては適温になるまでに多くの湯と時間が必要になる。このような点を考慮して、入浴装置１においては、浴槽１１内の湯温を安全且つ効率的に上げるための工夫が施されている。以下、これについて説明する。
【００３０】
図３に示すように、浴槽１１の底壁１１ａ（底部）には、パイプ２０が配置されている。このパイプ２０は、後述の内容から理解されるように、湯を吐出する機能と、気泡を発生させる機能とを兼ね備えている。パイプ２０は、支柱１２と干渉しない位置に設けられている。本実施形態では、パイプ２０の数を１つとしているが、パイプ２０は複数配置されても構わない。
【００３１】
図４は、本発明の実施形態に係る入浴装置１が備えるパイプ２０の構成を示す概略側面図である。なお、図４には、理解を容易とするためにパイプ２０以外の部分も示されている。例えば金属等によって構成されるパイプ２０は、真っ直ぐに延びる円筒形状をしており、両端部は開放されている。パイプ２０の側面には、複数の小径の孔２０ａが長手方向に一列に並ぶように形成されている。
【００３２】
なお、孔２０ａの数、形状、サイズ等は適宜調整すればよい。また、長手方向に複数配置される孔２０ａは、一列に並んでいなくてもよく、例えばジグザグに並んでいてもよい。更に、長手方向に複数並んだ孔２０ａの列が、複数列設けられても構わない。その他、場合によっては、パイプ２０は、ストレート形状ではなく、湾曲した形状等、曲げられた部分が含まれる形状であってもよい。また、パイプ２０は、円筒形状に限定されず、例えば角パイプ等であっても構わない。
【００３３】
パイプ２０の一端部には、第１の接続配管２１（本発明の第１の接続部の一例）が接続されている。第１の接続配管２１は、浴槽１１の底壁１１ａを液密に貫通している。底壁１１ａより下側（浴槽１１外）において、不図示の給湯装置から高温水（上述の適温水よりも熱い湯）の供給を可能とする給湯管２２が、第１の接続配管２１に接続されている。すなわち、給湯管２２が第１の接続配管２１を介してパイプ２０と繋がっており、給湯管２３からパイプ２０に湯が供給されるようになっている。
【００３４】
なお、第１の接続配管２１には、衛生面等を考慮して逆止弁２１ａが備えられている。このために、パイプ２０内の水が給湯管２２に入り込まないようになっている。また、給湯管２２の途中には、止水栓２５が設けられている。止水栓２５の開閉により、パイプ２０への高温水の供給とストップを切り換えられる。
【００３５】
パイプ２０の他端部には、第２の接続配管２３（本発明の第２の接続部の一例）が接続されている。第２の接続配管２３は、浴槽１１の底壁１１ａを液密に貫通している。底壁１１ａより下側において、不図示のエアポンプから空気の供給を可能とする給気管２４が、第２の接続配管２３に接続されている。すなわち、給気管２４が第２の接続配管２３を介してパイプ２０と繋がっており、給気管２４からパイプ２０に空気が供給されるようになっている。
【００３６】
なお、第２の接続配管２３には、衛生面等を考慮して逆止弁２３ａが備えられている。このために、パイプ２０内の水が給気管２４に入り込まないようになっている。また、給気管２４の途中には、エア用バルブ２６が設けられている。エア用バルブ２６の開閉により、パイプ２０への空気の供給とストップを切り換えられる。
【００３７】
また、本実施形態においては、望ましい構成として、パイプ２０は浴槽１１の底壁１１ａに着脱可能に取り付けられている。また、望ましい構成として、２つの接続配管２１、２３は、分解して清掃やメンテナンスを行えるようになっている。
【００３８】
図５は、本発明の実施形態に係る入浴装置１において、浴槽１１内の湯温を上げるために備えられる制御系の構成を示すブロック図である。図５に示すように、入浴装置１は、例えばマイコン等によって構成される制御部３０を備える。制御部３０は、上述の操作部１７を介して入力された指示にしたがって入浴装置１の各部を制御する。
【００３９】
また、入浴装置１は、浴槽１１に溜められた湯の温度を測定する温度センサー３１を備える。温度センサー３１は、１つでもよいが複数でもよい。温度センサー３１によって得られた情報は、制御部３０に入力される。
【００４０】
入浴装置１は、上述のように、浴槽１１内に湯を供給するための給湯装置３２を備える。給湯装置３２は、入浴者が入浴するのに適した適温水よりも高い温度の高温水を、給湯管２２（結果的にパイプ２０）に供給可能になっている。制御部３０は、この給湯装置３２の制御を行う。給湯管２２の途中に設けられる止水栓２５（図４参照）は、例えば電磁弁によって構成され、制御部３０は、この止水栓２５の制御も行う。なお、給湯装置３２は、入浴装置１自身には含まれるものではなく、入浴装置１に後付けされるものであってよい。
【００４１】
入浴装置１は、給気管２４を介してパイプ２０に空気を供給可能に設けられるエアポンプ３３を備える。制御部３０は、このエアポンプ３３の制御を行う。給気管２４の途中に設けられるエア用バルブ２６（図４参照）は、例えば電磁弁によって構成され、制御部３０は、このエア用バルブ２６の制御も行う。なお、エアポンプ３３は、入浴装置１自身に含まれるものではなく、入浴装置１に後付けされるものであってよい。
【００４２】
ここで、図６を参照しながら、入浴装置１において、浴槽１１内に入浴者Ｍが居る状態で、浴槽１１内の湯温を上げる手順の一例について説明する。
【００４３】
例えば、介助者が操作部１７を操作して、浴槽１１内の湯の温度を設定温度Ｔ０まで上げる指示を出すと、制御部３０は、その時点における浴槽１１内の湯の温度Ｔ１を測定する（ステップＳ１）。そして、制御部３０は、測定された湯の温度Ｔ１が目標の温度Ｔ０よりも低いか否かを確認する（ステップＳ２）。測定温度Ｔ１が目標の温度Ｔ０以上である場合には（ステップＳ２でＮｏ）、湯の温度を上げる必要がないために、制御部３０は、湯温を上げるための処理を実行しない。なお、湯温を上げるための処理を実行しない場合には、その旨を操作部１７に含まれる表示パネル等を利用して報知するのが好ましい。
【００４４】
測定温度Ｔ１が目標の温度Ｔ０より低い場合には（ステップＳ２でＹｅｓ）、制御部３０は、止水栓２５を開く処理を行い、給湯装置３２から高温水（例えば５０℃を超える湯が好ましい）をパイプ２０に向けて供給させる（ステップＳ４）。これにより、パイプ２０に備えられる複数の孔２０ａ（図４参照）から、少量の熱い湯が分散されて吐出される。制御部３０は、止水栓２５を開く処理を行うと、所定の時間（例えば数秒等）が経過したか否かを確認する（ステップＳ４）。制御部３０は、この確認を所定の時間が経過するまで行う。
【００４５】
所定の時間が経過すると（ステップＳ４でＹｅｓ）、制御部３０は、止水栓２５を閉じると共にエア用バルブ２６を開く処理を行う（ステップＳ５）。エア用バルブ２６が開かれることによって、パイプ２０に備えられる孔２０ａから気泡が噴出（発生）される。この気泡の噴出によって、浴槽１１内の湯が撹拌され、先にパイプ２０から吐出された熱い湯の拡散が促進される。この熱い湯の拡散により、浴槽１１全体の湯の温度を上げられる。
【００４６】
制御部３０は、エア用バルブ２６を開く処理を行うと、所定の時間（例えば数秒等）が経過したか否かを確認する（ステップＳ６）。なお、ステップＳ４とステップＳ６の所定の時間は同じでも良いが、異なってもよい。制御部３０は、この確認を所定の時間が経過するまで行う。所定の時間が経過すると（ステップＳ６でＹｅｓ）、制御部３０は、エア用バルブ２６を閉じる処理を行う（ステップＳ７）。
【００４７】
制御部３０は、エア用バルブ２６を閉じる処理を行うと、浴槽１１内の湯の温度Ｔ２を測定し（ステップＳ８）、当該温度Ｔ２が目標の温度Ｔ０に到達したか否かを確認する（ステップＳ９）。温度Ｔ２が目標の温度Ｔ０よりも低い場合には、ステップＳ３に戻り、再度、パイプ２０から湯の吐出を行う。パイプ２０からの湯の吐出と、気泡の発生とが繰り返されることによって、浴槽１１内の湯全体の温度を均一に上げることができる。
【００４８】
一方、温度Ｔ２が目標の温度Ｔ０に到達した場合には（ステップＳ９でＹｅｓ）、制御部３０は、浴槽１１内の湯温をそれ以上上げる必要がないので、浴槽１１の湯温を上げるための処理を終了する。
【００４９】
本実施形態によれば、パイプ２０の孔２０ａから少量の熱い湯が分散されて吐出する。分散されて吐出した熱い湯は、浴槽１１内の湯と即時に混合されるために、比較的に短時間で安全な温度になる。パイプ２０と浴槽１１内の入浴者Ｍとの間には、担架Ｔや担架台１３が存在する。この点からも、入浴者Ｍが熱い湯に直接晒されることは避けられる。なお、入浴者Ｍが熱い湯に直接晒されることは避けるための介在物が別途配置されても構わない。更に、本実施形態では、分散して供給された熱い湯を、気泡の発生によって作られた湯の流れで拡散する。したがって、本実施形態の入浴装置１によれば、少量の湯（高温水）の供給で、安全に且つ素早く浴槽１１内の湯全体の温度を目標の温度に上げられる。
【００５０】
また、本実施形態の構成によれば、冬季等において、浴槽１１内の湯を最初低めの温度に設定しておき、湯によって入浴者の体が温まった時点で湯温を上げるという手順を容易且つ安全に行える。このために、入浴者に快適な入浴タイムを提供可能である。
【００５１】
また、本実施形態では、湯を吐出する機能と気泡を発生させる機能とを備えるパイプ２０を浴槽１１内に配置すればよく、その構成は簡単で複雑とならない。このために、装置に要するコストの抑制も可能である。
＜その他＞
【００５２】
以上に示した実施形態は、本発明の例示にすぎない。以上に示した実施形態の構成は、本発明の技術的思想を超えない範囲で適宜変更されて構わない。
【００５３】
例えば、以上に示した実施形態では、パイプ２０を浴槽１１の底壁１１ａに設ける構成とした。しかし、本発明は、この構成に限定されるものではなく、パイプ２０は、浴槽１１の側壁に設けられても構わない。パイプ２０は、担架Ｔより低い位置に設けられるのが好ましい。
【００５４】
また、以上に示した実施形態では、パイプ２０に空気が供給される構成とした。しかし、これに限らず、パイプ２０には、空気以外の気体（例えば酸素単体等）が供給されても構わない。
【００５５】
また、以上に示した実施形態では、介助者が操作部１７を介して目標温度Ｔ０を指示した後は、入浴装置１が、浴槽１１内の湯の温度を目標温度Ｔ０に自動的に上げる構成とした。しかし、これは一例にすぎない。例えば、特に目標温度を設定することなく、介助者が、入浴者の意見を聞きながら、操作部１７等を操作しながら、浴槽１１内の湯の温度を要介助者の好みの温度に上げるようにしてもよい。
【００５６】
また、以上に示した実施形態では、止水栓２５の開閉制御により、高温水の供給とストップを切り換える構成としたが、これに限らず、例えば高温水を供給するポンプを制御して高温水の供給とストップを切り換える構成としてもよい。また、以上に示した実施形態では、エア用バルブ２６の開閉制御により、空気の供給とストップを切り換える構成としたが、これに限らず、例えばエアポンプ３３を制御して空気の供給とストップを切り換える構成としてもよい。
【００５７】
その他、以上においては、要介助者を担架に載せた状態で入浴させる入浴装置に本発明が適用される場合を示したが、本発明は、要介助者を椅子部に座らせた状態で入浴させる入浴装置等、他の入浴装置に適用されて良いのは当然である。
【符号の説明】
【００５８】
１  入浴装置
１１  浴槽
１３  担架台
２０  パイプ
２０ａ  孔
２１  第１の接続配管（第１の接続部）
２１ａ  逆止弁
２２  給湯管
２３  第２の接続配管（第２の接続部）
２３ａ  逆止弁
２４  給気管
３０  制御部
Ｍ  入浴者
【図１】
2016007421.tif 000003
【図２】
2016007421.tif 000004
【図３】
2016007421.tif 000005
【図４】
2016007421.tif 000006
【図５】
2016007421.tif 000007
【図６】
2016007421.tif 000008